(57)【特許請求の範囲】
【請求項１】
内部に吸入力発生装置が含まれる本体と、
前記本体に着脱可能に備えられ、塵埃を分離する第１サイクロン部が含まれる集塵ユニットと、
前記本体に固定して装着される第２サイクロン部と、
前記第１サイクロン部と前記第２サイクロン部を連結する前記本体内の連結流路と、
前記本体に形成され、前記第２サイクロン部で塵埃が分離された空気が前記掃除機本体の外部に排出されるようにする排出部と、を含み、
前記集塵ユニットは、前記第１サイクロン部によって分離された塵埃が捕集される第１塵埃捕集部と、前記第２サイクロン部によって分離された塵埃が捕集される第２塵埃捕集部とを含み、
前記集塵ユニットは、さらに、前記第１及び第２塵埃捕集部が形成される集塵体と、前記集塵体に結合され、前記各塵埃捕集部を同時に遮蔽するカバー部材とを含み、
前記第１サイクロン部は、前記カバー部材と結合されており、前記カバー部材と共に前記集塵体と分離され、
前記第２サイクロン部は、前記集塵ユニットが本体に装着されることによって、前記第１サイクロン部と連通されるとともに、前記本体の上側に位置する
ことを特徴とする、真空掃除機。
【請求項２】
前記第２サイクロン部は、前記集塵ユニット側に下方傾斜するように配置されることを特徴とする、請求項１に記載の真空掃除機。
【請求項３】
前記カバー部材には、前記第２サイクロン部によって分離された塵埃が流入される塵埃流入口と、
前記塵埃流入口を通して流入された空気が前記第２塵埃捕集部に移動されるようにする塵埃流路が形成されることを特徴とする、請求項１に記載の真空掃除機。
【請求項４】
前記第２サイクロン部から排出された空気が前記排出部に移動されるようにする流路を形成し、前記本体に結合されるガイドカバーをさらに含むことを特徴とする、請求項１に記載の真空掃除機。
【発明の詳細な説明】
【技術分野】
【０００１】
本発明は、真空掃除機に関し、特に、集塵容量が最大化されると共に、集塵された塵埃が容易に排出されるようにする真空掃除機に関する。
【背景技術】
【０００２】
一般的に真空掃除機は、本体の内部に装着されるモータによって発生する吸入力を用いて、塵埃が含まれた空気を吸入した後、塵埃分離装置内で塵埃をフィルタリングする装置である。
【０００３】
かかる真空掃除機は、吸入口である吸入ノズルが本体と別途に備えられて、連結管によって連結されるキャニスタ方式と、吸入ノズルが一体に形成されるアップライト方式に区別することができる。
【０００４】
一方、サイクロン方式の真空掃除機に装着される集塵ユニットは、サイクロン原理を用いて、吸入された空気に含まれている塵埃が空気から分離して集塵されるようにし、塵埃が除塵された空気は掃除機の外部に排出されるようにした装置である。
【０００５】
また、集塵性能を向上させるために、近来は、複数の次数で構成されるサイクロン部が備えられたマルチサイクロン集塵ユニットが使用される。
【０００６】
詳しくは、マルチサイクロン集塵ユニットは、集塵体と、前記集塵体に吸入される空気から比較的に大きな塵埃を分離する第１次サイクロン部と、前記第１次サイクロン部で塵埃が分離された空気が流入されて微細塵埃を再度分離する第２次サイクロン部が備えられる。
【０００７】
また、前記第１次サイクロン部及び第２次サイクロン部で分離された塵埃は、前記集塵体の内部に形成される第１塵埃捕集部及び第２塵埃捕集部に各々捕集される。すなわち、従来の集塵ユニットは、第１次サイクロン部と第２次サイクロン部が共に備えられるように構成される。
【０００８】
また、このような集塵ユニットは、内部に捕集された塵埃を排出するために、前記掃除機に分離可能に装着される。
【発明の開示】
【発明が解決しようとする課題】
【０００９】
ところで、従来の集塵ユニットによれば、前記第１次サイクロン部と第２次サイクロン部が集塵ユニットに共に備えられることによって、構造的に第１塵埃捕集部が小さく形成され、第１塵埃捕集部の集塵容量が少ない問題があり、これにより、ユーザが頻繁に塵埃を除塵する必要がある不都合がある。
【００１０】
また、前記第１次サイクロン部と第２次サイクロン部が集塵ユニットに共に備えられることによって、前記集塵ユニットの重さが相当になり、ユーザが集塵ユニットを掃除機に着脱させたり、塵埃を除塵するのに、かなりの力が要求される問題が発生する。
【００１１】
また、従来は、前記集塵ユニットに捕集された塵埃を除塵するために、前記集塵ユニットを本体から分離する過程や前記集塵装置の内部の塵埃を排出する過程で、室内の再汚染が頻繁に発生する問題がある。
【００１２】
また、塵埃を除塵する過程で室内が再汚染されれば、ユーザが再度掃除を行う必要があるため、ユーザに不都合な問題がある。
【００１３】
本発明は、上述の問題点に鑑みてなされたもので、その目的は、集塵ユニットの構造が簡単になると共に、集塵容量が最大化される真空掃除機を提供することにある。
【００１４】
また、本発明の他の目的は、集塵ユニットに集塵された塵埃を容易に排出させることができる真空掃除機を提供することにある。
【課題を解決するための手段】
【００１５】
上記目的を達成すべく、本発明に一観点による真空掃除機は、内部に吸入力発生装置が含まれる本体と、前記本体に着脱可能に備えられ、塵埃を分離する第１サイクロン部が含まれる集塵ユニットと、前記本体に固定して装着される第２サイクロン部と、前記第１サイクロン部と前記第２サイクロン部を連結する前記本体内の連結流路と、前記本体に形成され、前記第２サイクロン部で塵埃が分離された空気が前記掃除機本体の外部に排出されるようにする排出部と、を含み、前記集塵ユニットは、前記第１サイクロン部によって分離された塵埃が捕集される第１塵埃捕集部と、前記第２サイクロン部によって分離された塵埃が捕集される第２塵埃捕集部とを含み、前記集塵ユニットは、さらに、前記第１及び第２塵埃捕集部が形成される集塵体と、前記集塵体に結合され、前記各塵埃捕集部を同時に遮蔽するカバー部材とを含み、前記第１サイクロン部は、前記カバー部材と結合されており、前記カバー部材と共に前記集塵体と分離され、前記第２サイクロン部は、前記集塵ユニットが本体に装着されることによって、前記第１サイクロン部と連通されるとともに、前記本体の上側に位置することを特徴とする。
【００１６】
本発明の他の観点による真空掃除機は、外部から塵埃が含まれた空気が吸入される吸入部と、塵埃が除去された空気が排出される排出部が形成される本体と、前記本体に着脱可能に結合され、前記吸入部と連通される集塵ユニットと、前記集塵ユニットに提供され、塵埃を分離する第１サイクロン部と、前記本体に固定して装着され、前記第１サイクロン部を経た空気から塵埃を再度分離する第２サイクロン部と、前記第１及び第２サイクロン部で分離された塵埃が捕集される複数の塵埃捕集部が含まれることを特徴とする。
【発明の効果】
【００１７】
本発明に係る真空掃除機によれば、次のような効果がある。
【００１８】
第一には、第１次サイクロン部は集塵ユニットに提供され、第２次サイクロン部は前記集塵ユニットと分離されて掃除機本体に備えられるため、前記集塵ユニットの構造が簡単になり、重さが減少して、ユーザが容易に前記集塵ユニットを取扱うことができる利点がある。
【００１９】
第二には、前記集塵ユニットから前記第２次サイクロン部が分離されて構成されるが、前記第２次サイクロン部によって分離された塵埃は、前記集塵ユニットで捕集されるようにすることによって、前記集塵ユニットのみを前記掃除機本体から分離して塵埃を排出させれば済むので、使い勝手が増大する。
【００２０】
第三には、前記第２次サイクロン部で分離された塵埃が捕集される第２塵埃捕集部が、前記第１次サイクロン部で分離された塵埃が捕集される第１塵埃捕集部の外側に備えられることによって、前記第１塵埃捕集部の大きさが大きくなって、集塵容量が最大化する効果がある。
【００２１】
第四には、塵埃を集塵する集塵ユニットが密閉された状態で前記掃除機本体から分離され、ユーザーが所望の位置でカバー部材を開放すれば、集塵体の上部が完全に開放されるため、室内の再汚染が防止できる効果がある。
【００２２】
第五には、集塵ユニットの上側に備えられるカバー部材が第１塵埃捕集部と第２塵埃捕集部を同時に開閉するため、塵埃の排出が容易である利点がある。
【発明を実施するための最良の形態】
【００２３】
以下、本発明の実施例を、添付図面に基づいて詳述する。
【００２４】
図１は、本発明の思想による真空掃除機の斜視図、図２は、前記真空掃除機から集塵ユニットが分離された状態を示す斜視図、図３は、本発明の思想による集塵ユニットの斜視図である。
【００２５】
図１乃至図３に示すように、本発明の思想による真空掃除機１０は、内部に吸入力を発生させる真空モータが備えられる掃除機本体１００と、前記掃除機本体１００に吸入された空気に含まれている塵埃を分離させる塵埃分離装置とを含む。
【００２６】
また、図示していないが、塵埃が含まれた空気を吸入する吸入ノズルと、前記吸入ノズルが前記掃除機本体１００に連結されるようにする連結管とをさらに含む。
【００２７】
本実施例において、前記吸入ノズル及び連結管の基本的な構成は、従来と同様であるため、これについての詳細な説明は省略する。
【００２８】
詳しくは、前記掃除機本体１００の前面下段部には、前記吸入ノズル（図示せず）から吸入された塵埃が含まれた空気が吸入される本体吸入部１１０が形成され、前記掃除機本体１００の一側面には、塵埃が分離された空気が外部に排出される本体排出部１２０が形成される。
【００２９】
また、前記掃除機本体１００の上部には、把持可能なように本体取っ手部１４０が形成される。
【００３０】
また、前記掃除機本体１００の後側には、前記塵埃分離装置によって塵埃が除塵された空気が前記掃除機本体１００に流入されるようにガイドするガイドカバー１６０が結合される。
【００３１】
一方、前記塵埃分離装置は、空気に含まれている塵埃を一次的に分離する第１次サイクロン部（後述する）が備えられる集塵ユニット２００と、前記第１次サイクロン部によって塵埃が分離された空気から再度塵埃が分離されるようにし、前記掃除機本体１００に備えられる第２次サイクロン部３００から構成される。
【００３２】
詳しくは、前記集塵ユニット２００は、前記掃除機本体１００の前方部に着脱可能に装着される。
【００３３】
このように、前記集塵ユニット２００が前記掃除機本体１００に着脱可能であるように、前記掃除機本体１００の取っ手部１４０には、着脱レバー１４２が備えられ、前記集塵ユニット２００には、前記着脱レバー１４２と、係止作用が行われる係止部２５６が形成される。
【００３４】
また、前記集塵ユニット２００は、サイクロン流動を発生させる第１次サイクロン部と、前記第１次サイクロン部から分離された塵埃が捕集される塵埃捕集部が形成される集塵体２１０とを含む。
【００３５】
ここで、前記集塵ユニット２００は、上述のように前記掃除機本体１００に着脱可能に装着され、前記集塵ユニット２００は、前記掃除機本体１００に装着されることによって前記掃除機本体１００及び第２次サイクロン部３００と連通される。
【００３６】
詳しくは、前記掃除機本体１００には、前記掃除機本体１００に吸入された空気が前記集塵ユニット２００に排出されるようにする空気排出口１３０が形成され、前記集塵ユニット２００には、前記空気排出口１３０から空気が流入されるようにする第１流入口２１３が形成される。
【００３７】
このとき、前記第１流入口２１3は、前記集塵ユニット２００の内部でサイクロン流動が生じるようにするために、前記集塵ユニット２００の接線方向に形成されることが好ましい。
【００３８】
また、前記集塵ユニット２００には、前記第１次サイクロン部で塵埃が分離された空気が排出される第１排出口２５２が形成され、前記掃除機本体１００には、前記第１排出口２５２を通して排出される空気が流入される連結流路１１４が形成される。
【００３９】
また、前記連結流路１１４に流入された空気は、前記第２次サイクロン部３００に流入される。
【００４０】
一方、前記第２次サイクロン部３００は、略円錐状の小サイクロンが多数個並列に結合されて構成される。
【００４１】
また、前記第２次サイクロン部３００は、前記掃除機本体１００の後方上側に横たわった状態に配置される。すなわち、前記第２次サイクロン部３００は、前記掃除機本体１００に対して所定の角度で傾斜した状態で配置される。
【００４２】
上述したように、前記第２次サイクロン部３００を前記掃除機本体１００に横たわった状態に配置することによって、真空モータなどとの配置関係において小型化が要求される真空掃除機の空間活用度を向上させることができる。
【００４３】
また、前記第２次サイクロン部３００が前記集塵ユニット２００と分離されて前記掃除機本体１００に備えられることによって、前記集塵ユニット２００の構造が簡単になり、重量が軽くなって、ユーザが若干の力を入れて前記集塵ユニット２００を取扱うことができる。
【００４４】
一方、前記第２次サイクロン部３００で分離された塵埃は、前記集塵ユニット２００の内部に捕集される。
【００４５】
詳しくは、前記集塵体２１０には、前記第２次サイクロン部３００で分離された塵埃が流入される塵埃流入口２５４と、前記第２次サイクロン部３００で分離された塵埃が捕集される塵埃捕集部がさらに形成される。
【００４６】
すなわち、前記集塵体２１０に形成される塵埃捕集部は、前記第１次サイクロン部によって分離された塵埃が捕集される第１塵埃捕集部と、前記第２次サイクロン部３００によって分離された塵埃が捕集される第２塵埃捕集部から構成される。
【００４７】
言換えれば、本実施例では、前記第２次サイクロン部３００が前記集塵ユニット２００から分離されて前記掃除機本体１００に構成されるが、前記第２次サイクロン部３００で分離された塵埃は、前記集塵ユニット２００で捕集されるように構成される。
【００４８】
ここで、前記第２次サイクロン部３００は、分離された塵埃が前記集塵ユニット２００に容易に移動できるように前記集塵ユニット２００側に下方傾斜して配置されることが好ましい。
【００４９】
上記の構成により、真空掃除機１０の作用について簡単に説明する。
【００５０】
まず、真空掃除機１０に電源が印加されて掃除機本体１００が作動すれば、内部に備えられている真空モータによって吸入力が発生する。また、前記吸入力によって吸入ノズルに吸入された塵埃が含まれている空気は、連結管及び掃除機本体１００の内部に形成されている所定の流路に沿って前記集塵ユニット２００に吸入される。
【００５１】
また、塵埃が含まれた空気が集塵ユニット２００に吸入されれば、吸入された空気は、第１次サイクロン部によって塵埃が一次的に分離される。また、分離された塵埃は、前記集塵体２１０の内部に捕集される。反面、塵埃が分離された空気は、集塵ユニット２００から排出されて掃除機本体１００に流入され、掃除機本体１００に備えられている連結流路１１４によって第２次サイクロン部３００に流入される。
【００５２】
また、第２次サイクロン部３００に流入された空気は、再度塵埃が分離され、分離された塵埃は、前記集塵ユニット２００の内部に流入されて捕集され、塵埃が分離された空気は、掃除機本体１００内部の所定の流路に沿って流動した後、最終的に本体排出部１２０を通して外部に排出される。
【００５３】
以下、前記集塵ユニット２００の構造について詳細に説明する。
【００５４】
図４は、図３のＩ−Ｉ´線の断面図、図５は、図３のII−II´線の断面図である。
【００５５】
図４及び図５に示すように、本発明の思想による集塵ユニット２００は、外形をなす集塵体２１０と、前記集塵体２１０の内部に選択的に収納されて吸入された空気から塵埃が分離されるようにする第１次サイクロン部２３０と、前記集塵体２１０の上側を選択的に開閉させるカバー部材２５０とを含む。
【００５６】
詳しくは、前記集塵体２１０は、略円筒形に形成され、その内部に分離された塵埃が捕集される塵埃捕集部が形成される。
【００５７】
また、前記塵埃捕集部は、前記第１次サイクロン部２３０で分離された塵埃が捕集される第１塵埃捕集部２１４と、前記第２次サイクロン部３００で分離された塵埃が捕集される第２塵埃捕集部２１６とを含む。
【００５８】
ここで、前記集塵体２１０は、前記第１塵埃捕集部２１４を形成する第１壁２１１と、前記第１壁２１１との関係で前記第２塵埃捕集部２１６を形成する第２壁２１２とを含む。すなわち、前記第２壁２１２は、前記第１壁２１１の所定部分を覆うように形成される。
【００５９】
これにより、前記第２塵埃捕集部２１６は、前記第１塵埃捕集部２１４の外側に形成される。
【００６０】
このように、前記第２塵埃捕集部２１６が前記第１塵埃捕集部２１４の外側に形成されることによって、前記第１塵埃捕集部２１４の大きさを最大化させることができるようになり、前記第１塵埃捕集部２１４の集塵容量が最大化する利点がある。
【００６１】
また、前記第１壁２１１には、その内部に収納された前記第１サイクロン部２３０の下段を支持する段顎２１９が円周方向に形成される。よって、前記段顎２１９を基準に前記第１塵埃捕集部２１４の上部は下部より大きい直径を有する。
【００６２】
また、前記集塵体２１０には、前記第１塵埃捕集部２１４に捕集される塵埃の体積を減少させて、集塵容量を増加させる一対の加圧板２２１、２２２が備えられる。
【００６３】
ここで、前記一対の加圧板２２１、２２２は、互いに相互作用により塵埃を圧縮して塵埃の体積を減少させ、これにより、前記第１塵埃捕集部２１４に捕集される塵埃の密度が高まることによって、前記第１塵埃捕集部２１４の最大集塵容量が増加する。
【００６４】
詳しくは、前記一対の加圧板２２１、２２２は、前記集塵体２１０の底面に突出成形される固定軸２２４に固定される固定板２２２と、前記固定軸２２４に回転可能に結合される回転軸２２６に固定される回転板２２１から構成される。
【００６５】
また、前記回転軸２２６には、外部駆動源によって回転される従動ギア２２８が結合される。
【００６６】
ここで、図示していないが、前記掃除機本体１００には、前記従動ギア２２８と噛合する駆動ギアと、前記駆動ギアを駆動させる駆動モータが備えられる。
【００６７】
よって、前記駆動モータが駆動されれば、前記駆動ギア及び従動ギア２２８が回転され、前記従動ギア２２８の回転によって前記回転板２２１が回転される。
【００６８】
このとき、前記固定板２２２の両側で塵埃の圧縮が行われるように、前記回転板２２１は、両方向に回転可能であることが好ましく、これにより、前記駆動モータは、シンクロノースモータ（sychronous motor）が使用され得る。
【００６９】
本実施例では、前記一対の加圧板２２１、２２２のうち、少なくとも１つが前記集塵体２１０の内部に移動可能に備えられるが、これとは異なって、前記一対の加圧板２２１、２２２全てが前記集塵体２１０の内部で移動可能に備えられることができる。
【００７０】
一方、前記集塵体２１０は、ユーザが前記集塵体２１０を裏返しして塵埃を排出することができるように、上側が開口されるように形成され、前記集塵体２１０の上部には、前記カバー部材２５０が着脱可能に結合される。
【００７１】
また、前記集塵体２１０の内部に捕集された塵埃を排出するとき、前記第１次サイクロン部２３０が前記カバー部材２５０と共に分離できるように、前記第１次サイクロン部２３０は、前記カバー部材２５０の下側に結合される。
【００７２】
ここで、本実施例は、前記カバー部材２５０に前記第１次サイクロン部２３０が結合されるように構成されるが、これとは異なって、前記第１次サイクロン部２３０と前記カバー部材２５０が一体に形成されることができることを明らかにしておく。
【００７３】
一方、前記第１次サイクロン部２３０には、空気から分離された塵埃が前記第１塵埃捕集部２１４に容易に排出できるようにガイドする塵埃ガイド流路２３２が形成される。
【００７４】
ここで、前記塵埃ガイド流路２３２は、分離された塵埃が接線方向に流入されるようにした後に、下方に落下するようにガイドする。
【００７５】
よって、前記塵埃ガイド流路２３２の流入口２３３は、前記第１次サイクロン部２３０の側面に形成され、排出口２３４は、前記第１次サイクロン部２３０の底面に形成される。
【００７６】
一方、前記カバー部材２５０は、上述のように前記集塵体２１０の上側に着脱可能に結合される。すなわち、前記カバー部材２５０は、前記第１塵埃捕集部２１４と第２塵埃捕集部２１６を同時に開閉することになる。
【００７７】
よって、前記第１塵埃捕集部２１４と前記第２塵埃捕集部２１６に捕集された塵埃を外部に排出させるために、ユーザが、前記第１次サイクロン部２３０が結合されたカバー部材２５０を前記集塵体２１０から分離すれば、前記集塵体２１０の上側が完全に開放される。また、ユーザが前記集塵体２１０を裏返しすれば塵埃が容易に排出される。
【００７８】
このとき、前記集塵体２１０を除塵するために、ユーザは、ごみ箱や室外で前記カバー部材２５０を前記集塵体２１０から分離するため、室内の再汚染を防止することができる。
【００７９】
また、前記カバー部材２５０の底面には、前記第１次サイクロン部２３０で塵埃が分離された空気が排出される排出孔２５１が貫通成形される。また、前記排出孔２５１には、外周面に所定の大きさの通孔２６２が多数個形成されているフィルタ部材２６０の上側が結合される。
【００８０】
よって、前記第１次サイクロン部２３０内で一次的に塵埃分離過程を経た空気は、前記フィルタ部材２６０を介して前記排出孔２５１に排出される。
【００８１】
また、前記カバー部材２５０の内部には、前記排出孔２５１から排出された第１次サイクロン部２３０の空気が前記第１排出口２５２側に移動されるようにガイドする流路２５３が形成される。すなわち、前記流路２５３は、前記排出孔２５１と第１排出口２５２を連結する通路の役割を果たす。
【００８２】
また、前記カバー部材２５０には、前記第２次サイクロン部３００で分離された塵埃が流入される塵埃流入口２５４と、前記塵埃流入口２５４を通して前記カバー部材２５０に流入された空気が前記第２塵埃捕集部２１６に排出されるようにする塵埃排出口２５７が形成される。
【００８３】
詳しくは、前記塵埃流入口２５４は、前記カバー部材２５０の上側に形成される。このような前記塵埃流入口２５４は、図３に示すように、前記第１排出口２５２の両側に対称になるように形成される。また、前記塵埃排出口２５７は、前記カバー部材２５０の底面に形成される。
【００８４】
このように前記塵埃流入口２５４が前記カバー部材２５０の上側に形成され、前記塵埃排出口２５７が前記カバー部材２５０の底面に形成されることによって、前記塵埃流入口２５４と前記塵埃排出口２５７との間には、空間が形成される。
【００８５】
よって、前記塵埃流入口２５４に流入された塵埃が前記塵埃排出口２５７に容易に移動されるようにすることが好ましく、このために本発明では、前記塵埃流入口２５４に流入された塵埃が前記塵埃排出口２５７を通して前記第２塵埃捕集部２１６に容易に移動できるようにガイドする塵埃ガイドリブ２５８が提供される。
【００８６】
詳しくは、前記塵埃ガイドリブ２５８は、前記塵埃流入口２５４から前記塵埃排出口２５７に延長して成形される。よって、前記塵埃ガイドリブ２５８は、一側が前記塵埃流入口２５４と対応する形状に形成され、他側が前記塵埃排出口２５７と対応する形状に形成される。
【００８７】
このような塵埃ガイドリブ２５８によって、前記カバー部材２５０には、前記第２次サイクロン部３００で分離された塵埃が流動される塵埃流路２５９が形成される。
【００８８】
このような塵埃ガイドリブ２５８によって、前記塵埃流入口２５４を通して流入された塵埃は、前記塵埃排出口２５７に容易に移動されることができ、前記塵埃流入口２５４に流入された塵埃が前記カバー部材２５０内に積もる現象を防止することができる。
【００８９】
以上に説明したように、本実施例では、第１次サイクロン部２３０が集塵ユニット２００に備えられ、第２次サイクロン部３００が掃除機本体１００に備えられることを特徴とする。
【００９０】
しかしながら、これとは異なって、第１次サイクロン部及び第２次サイクロン部以外に、第３次サイクロン部がさらに備えられることができ、このような場合、前記第３サイクロン部も、前記掃除機本体１００に形成され得る。
【００９１】
他の例として、前記集塵ユニット２００に第１次及び第２次サイクロン部が備えられ、掃除機本体１００に第３次サイクロン部が備えられるように構成され得る。
【００９２】
すなわち、本発明の思想は、多数の次数を有するサイクロン部のうち、少なくとも１次数以上のサイクロン部が集塵ユニット２００に備えられ、それ以外の次数のサイクロン部が前記掃除機本体１００に備えられることを含む。
【００９３】
他の側面から説明すると、前記集塵ユニット２００に備えられるサイクロン部を集塵ユニットサイクロン部とすることができ、前記掃除機本体１００に備えられるサイクロン部を本体サイクロン部とすることができ、前記集塵ユニットサイクロン部及び本体サイクロン部は、少なくとも１次数以上が備えられることができる。
【００９４】
図６は、前記真空掃除機からガイドカバーが分離された状態を示す斜視図である。
【００９５】
図６に示すように、本発明の思想による真空掃除機１０は、上述のように前記第２次サイクロン部３００が前記掃除機本体１００の上側に配置される。
【００９６】
また、前記第２次サイクロン部３００の下側には、前記集塵ユニット２００から排出された空気が前記第２次サイクロン部３００に移動されるようにガイドする連結流路１１４が提供される。
【００９７】
また、前記第２次サイクロン部３００には、前記連結流路１１４を通過した空気が前記第２次サイクロン部３００に流入されるようにする第２流入口３０２が形成される。
【００９８】
このとき、前記連結流路１１４を通過した空気が前記第２次サイクロン部３００の接線方向に流入されることができるように、前記第２流入口３０２側にはガイドリブ３０４が前記第２次サイクロン部３００の接線方向に形成される。
【００９９】
一方、前記掃除機本体１００には、前記第２次サイクロン部３００で塵埃が除去された空気が流入される空気流入孔（図７の１１８を参照）が形成される。
【０１００】
ここで、前記空気流入孔（図７の１１８を参照）と、前記第２次サイクロン部３００は、前記ガイドカバー１６０が前記第２次サイクロン部３００及び前記掃除機本体１００に装着されることによって連通される。
【０１０１】
よって、前記ガイドカバー１６０は、前記第２次サイクロン部３００を遮蔽すると共に、前記第２次サイクロン部３００から排出された空気が前記空気流入孔（図７の１１８を参照）に流入できる排出流路（図７の１１６を参照）が形成されるようにする。
【０１０２】
以下、上記のような構成をなす真空掃除機１０の作動について説明する。
【０１０３】
図７は、前記真空掃除機の断面図である。
【０１０４】
図７に示すように、まず真空掃除機１０の真空モータ１５０に電源が印加されれば、前記真空モータ１５０によって吸入力が発生し、このような吸入力によって前記吸入ノズルに塵埃が含まれた空気が吸入される。
【０１０５】
また、前記吸入ノズルを通して吸入された空気は、前記本体吸入部１１０を通して掃除機本体１００の内部に流入され、流入された空気は、連通流路１１２を通して前記集塵ユニット２００に流入される。
【０１０６】
詳しくは、前記塵埃が含まれた空気は、前記集塵体２１０の第１流入口２１３を通して前記第１次サイクロン部２３０の接線方向に吸入される。また、吸入された空気は、前記第１次サイクロン部２３０の内周面に沿って旋回しながら落下し、この過程で空気と塵埃は、その重量の差によってそれぞれ異なる遠心力を受けながら、相互間の分離が行われる。
【０１０７】
また、塵埃が分離された空気は、前記フィルタ部材２６０の通孔２６２を通してフィルタリングされた後、前記排出孔２５１及び第１排出口２５２を通して前記集塵ユニット２００の外部に排出される。
【０１０８】
一方、分離された塵埃は、前記第１次サイクロン部２３０の内周面を沿って旋回される過程で接線方向に前記塵埃ガイド流路２３２に流入される。
【０１０９】
また、前記塵埃ガイド流路２３２に流入された塵埃は、前記塵埃ガイド流路２３２の内部で流動方向が切り換えられて前記第１次サイクロン部２３０の外周面を沿って流動し、前記排出口２３４を通して下方に落下して前記第１塵埃捕集部２１４に捕集される。
【０１１０】
一方、前記第１排出口２５２を通して排出された空気は、前記掃除機本体１００内部に流入される。また、前記掃除機本体１００の内部に流入された空気は、連結流路１１４を介して前記第２次サイクロン部３００に流入される。
【０１１１】
このような空気は、前記連結流路１１４の終端に形成されている第２流入口３０２を通して前記第２次サイクロン部３００の内壁に各々接線方向にガイドされ、その内部を流動しながら塵埃が再度分離される。
【０１１２】
また、再度塵埃が分離された空気は、前記排出流路１１６に流入された後に前記空気流入孔１１８を通して前記掃除機本体１００の内部に流入される。また、前記掃除機本体１００の内部に流入された空気は、モータプリフィルタ１５２及び真空モータ１５０を介して前記掃除機本体１００側面の本体排出部１２０を通して外部に排出される。
【０１１３】
反面、分離された塵埃は、前記塵埃流入口２５４を通して前記集塵ユニット２００に流入され、最終的に前記第２塵埃捕集部２１６に捕集される。
【０１１４】
一方、前記集塵体２１０に捕集された塵埃を除塵するために、ユーザは、前記集塵ユニット２００を前記掃除機本体１００から分離する。
【０１１５】
また、前記集塵ユニット２００から前記第１次サイクロン部２３０が結合されたカバー部材２５０を分離する。また、前記集塵体２１０を裏返しして塵埃を除塵する。
【０１１６】
図８は、本発明の他の実施例に係る集塵ユニットの断面図、図９は、本発明の他の実施例に係る真空掃除機から集塵ユニットが分離された状態を示す斜視図である。
【０１１７】
本実施例では、元の実施例と同様であり、第２塵埃捕集部が前記集塵ユニットと分離されて構成されることを特徴とする。以下、本実施例の特徴的な部分についてのみ説明する。
【０１１８】
図８及び図９に示すように、本実施例に係る集塵ユニット４００は、内部に第１塵埃捕集部４１４が形成される集塵体４１０と、前記集塵体４１０の内部に選択的に収納されて吸入された空気から塵埃が分離されるようにする第１次サイクロン部４３０と、前記集塵体４１０の上側を選択的に開閉させるカバー部材４５０とを含む。
【０１１９】
一方、前記掃除機本体１００には、前記第１次サイクロン部４３０で塵埃が分離された空気から再度塵埃が分離されるようにする第２次サイクロン部３００と、内部に前記第２次サイクロン部３００で分離された塵埃が捕集される第２塵埃捕集部５１０が形成される集塵容器５００が備えられる。
【０１２０】
すなわち、前記第１次サイクロン部４３０で分離された塵埃と、前記第２次サイクロン部３００で分離された塵埃は、別個の物品内部に捕集されるように構成される。
【０１２１】
ここで、前記第１次サイクロン部４３０では、比較的に大きな塵埃が分離され、前記第２次サイクロン部３００では、微細塵埃が分離されるため、前記第１塵埃捕集部４１４に殆どの塵埃が捕集されて前記第１塵埃捕集部４１４に塵埃が素早く捕集されることになり、相対的に前記第２塵埃捕集部５１０には、少量の塵埃が捕集される。これにより、前記第１塵埃捕集部４１４に捕集された塵埃は、頻繁に除塵する必要がある。
【０１２２】
よって、内部に前記第１塵埃捕集部４１４が形成される集塵体４１０と、内部に前記第２塵埃捕集部５１０が形成される集塵容器５００が分離されて構成されるようにすることによって、前記集塵体４１０のみを前記掃除機本体１００から分離して前記第１塵埃捕集部４１４に捕集された塵埃を除塵することができる。
【０１２３】
また、前記集塵体４１０には、第１塵埃捕集部４１４のみが形成されるため、前記集塵体４１０の構造がさらに簡単になり、重量が軽くなって、ユーザが若干の力を入れて、前記集塵体４１０を取扱うことができ、使い勝手がさらに増大する。
【０１２４】
詳しくは、前記集塵容器５００は、その内部に捕集された塵埃を除塵することができるように前記掃除機本体１００に着脱可能に備えられる。
【０１２５】
また、前記掃除機本体１００には、前記集塵容器５００がまず結合され、その後、前記集塵ユニット４００が結合されて相互密着される。よって、前記集塵容器５００の一面は、前記集塵体４１０と対応する形状に形成されることが好ましい。
【０１２６】
上述した本発明の好ましい実施例は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１２７】
【図１】本発明の思想による真空掃除機の斜視図である。
【図２】前記真空掃除機から集塵ユニットが分離された状態を示す斜視図である。
【図３】本発明の思想による集塵ユニットの斜視図である。
【図４】図３のＩ−Ｉ´線の断面図である。
【図５】図３のII−II´線の断面図である。
【図６】前記真空掃除機からガイドカバーが分離された状態を示す斜視図である。
【図７】前記真空掃除機の断面図である。
【図８】本発明の他の実施例に係る集塵ユニットの断面図である。
【図９】本発明のさらに他の実施例に係る真空掃除機から集塵ユニットが分離された状態を示す斜視図である。
【符号の説明】
【０１２８】
１０    真空掃除機
１００    本体
１１０    本体吸入部
１１４    連結流路
１２０    本体排出部
１３０    空気排出口
１４０    本体取手部
１４２    着脱レバー
１６０    ガイドカバー
２００    集塵ユニット
３００    第２次サイクロン部
【図１】
0004444946.tif 000002
【図２】
0004444946.tif 000003
【図３】
0004444946.tif 000004
【図４】
0004444946.tif 000005
【図５】
0004444946.tif 000006
【図６】
0004444946.tif 000007
【図７】
0004444946.tif 000008
【図８】
0004444946.tif 000009
【図９】
0004444946.tif 000010